(57)【要約】【課題】テレビジョン受像機と組合せたディスク再生装置のトレイ構造であって、外部からの衝撃や振動によってトレイが影響を受けることなく、又トレイ周辺を簡素化したディスク再生装置のトレイ構造の提供。【解決手段】トレイ３の正面にはトレイパネル５を取付けると共に、トレイパネル５にはトレイ正面側へ引かれる弾性力を付勢し、そしてトレイパネル５の背面両側には凹部１３，１３を設け、一方トレイ３がスライドする為に通過するフロントパネル５に設けた開口底に平坦面１２を設けると共に開口両側には凸部１４，１４を形成している。【選択図】　　　　図２
2004086939.tif 000002
【特許請求の範囲】
【請求項１】
テレビジョン受像機や音響機器などと組合わせたディスク再生装置のトレイ構造において、トレイの正面にはトレイパネルを取付けると共に該トレイパネルをトレイ正面側へ弾性力を付勢することが出来る弾性体を設け、そしてトレイパネルの背面両側には凹部を設け、一方トレイがスライドする為に通過するフロントパネルに設けた開口の底に平坦面を設けると共に開口両側には凸部を形成し、トレイが後退して収納された場合にトレイパネルの外周背面は平坦面に接し、上記凹部と凸部が互いに係合することを特徴とするディスク再生装置のトレイ構造。
【請求項２】
トレイパネルの背面から軸を延ばしてトレイのフロント部に設けた軸穴に嵌めて該トレイパネルを取付け、そして弾性体は軸先端に形成したツバとフロント部の間に介在した請求項１記載のディスク再生装置のトレイ構造。
【請求項３】
トレイパネルの背面両側に凸部を設け、一方の開口両側に凹部を形成した請求項１、又は請求項２記載のディスク再生装置のトレイ構造。
【発明の詳細な説明】
【０００１】
【発明の属する技術分野】
本発明はＤＶＤやＣＤ等のディスクに記録されている情報を記録・再生するディスク再生装置のトレイ構造に関するものである。
【０００２】
【従来の技術】
ＤＶＤなどのディスクに情報を記録する場合、又記録されている情報を再生する場合、ディスク記録再生装置が使用されるが、ターンテーブルにディスクを載置して高速回転する。そしてディスク上の情報トラックに情報読み取り用ビームが追従するようにトラッキング制御を行うと共に、情報トラックに正確にビームスポットを形成するようにフォーカス制御を行うことで、確実に情報の記録・再生がなされる。
【０００３】
ところで、ディスクをターンテーブルに載置するには、スライド開閉するトレイが使用される場合が多く、キャビネットの正面パネルからスライドして突出するトレイにディスクを載せ、該トレイが後退することで上記ターンテーブルに載置される。トレイはフロントパネルに形成した開口を通過して出入りすることが出来る。
【０００４】
ディスク再生装置は、外部から加えられる衝撃によるトラッキング外れを防止する為の振動対策が非常に重要である。しかしトレイが収納されている場合にトレイパネルはフロントパネルの開口周縁に接することで、外部の振動がトレイに伝わり、それがディスクや光学ヘッドに伝わり、光ビームのトラッキング外れを引き起こす。
【０００５】
そこで、特開２００２−１７０３６９に係る「ディスク再生装置」は、トレイパネルに加えられた衝撃がトレイを介してディスクや光学ヘッドに伝わることを防止している。ディスク再生メカニズムをシャーシ上に弾性支持するダンパと、トレイの前面に接離自在に配置されるトレイパネルと、このトレイパネルをトレイの前面に近接する方向に付勢するスプリングと、着脱位置においてトレイパネルをトレイに対して位置決めする凸部及び凹部と、収納位置においてこれら凸部及び凹部の係合を解除し、トレイパネルをトレイと非接触になる位置に位置決めする一方の傾斜面及び他方の傾斜面とから構成している。
【０００６】
ところが、フロントパネル開口周縁部に形成される傾斜面と、トレイパネルの背面縁部に形成される傾斜面とが係合する場合、該係合部を完全に密着状態にすることは樹脂の成形品であるトレイ及びフロントパネルに高い精度が必要であり、実際には製作困難である。それに、トレイ周辺部の構造は複雑化し、コストは高くなってしまう。一方、フロントパネル開口部とトレイパネルの周縁部が摺動する構造に成っていて、トレイ収納時においてキズが付き易く、又外観のデザインが制約されるといった問題が残されている。
【０００７】
図７はディスク再生装置の分解図を示しているが、キャビネットのフロントパネル２０にはトレイ２１が出入りする開口２２が設けられている。そして、キャビネットにはシャーシ２３がネジ止めされ、該シャーシ２３には遮蔽板２４が取付けられる。さらに、該遮蔽板２４にディスク再生装置２５が取着される為に、該ディスク再生装置２５からスライドして突出するトレイ２１とフロントパネル２０に形成される開口２２の位置が正確に一致しない。
【０００８】
これは、キャビネット、シャーシ２３、遮蔽板２４、及びディスク再生装置２５の寸法精度及び取付け精度に影響される。従って、トレイ２１の正面に取付けられるトレイパネル２６によって、フロントパネル２０の開口２２が完全に閉じられることはなく、該トレイ２１が後退して収納された場合に多少を問わず隙間が発生する。
【０００９】
一方、近年では、ディスク再生装置が単独で構成される場合以外に、テレビジョン受像機や音響機器と組合されている場合が多い。このようにテレビジョン受像機と組み合わされて一体化することで、トレイ収納時にはフロントパネル開口周縁部とトレイパネル背面縁部が接することで、スピーカから発生する音声出力との共振によって異常音が発生する可能性がある。すなわち、スピーカからの音声による振動がトレイに伝わって共振現象を引き起こす。
【００１０】
【発明が解決しようとする課題】
このように、従来のディスク再生装置には上記のごとき問題がある。本発明が解決しようとする課題はこれら問題点であり、外部からの衝撃や振動によってトレイが影響を受けることなく、又トレイ周辺の構造が簡単なディスク再生装置のトレイ構造を提供する。
【００１１】
【課題を解決する為の手段】
本発明に係るディスク再生装置は、フロントパネルに形成した開口部を介し、ディスクを着脱する着脱位置とディスクを再生装置内に収納する収納位置との間でトレイを移動可能に取付けている。そして該トレイ前面にはトレイパネルを取付けていて、トレイパネルの背面に軸を延ばすと共に、該軸に弾性体を取付けている。
【００１２】
トレイパネルの両側背面には凹部を設け、フロントパネル開口の両側には上記凹部に係合する凸部を突設していて、トレイが後退してディスク再生装置内に収納されるならば、トレイパネルに設けている上記凹部は開口に突設している凸部に係合して正しく位置決めが行われる。そして、フロントパネル開口は段差を持って形成され、トレイパネルの背面外周部は段差にて形成される平坦面に収納時には接することが出来る。
【００１３】
そこで、トレイが後退してディスク再生装置内に収納される場合、トレイパネルの背面外周部はフロントパネルの開口段差面に当接すると共に凹部には凸部が係合して正しく位置決めされる。従って開口は完全密閉される。この場合、トレイパネルの背面から延びる軸に取付けられた弾性体は圧縮され、外部からの振動や衝撃を吸収することが出来る。
【００１４】
ここでトレイ背面に凸部を設け、開口両側に凹部を形成して互いに係合するようにすることが出来る。又、弾性体としてはコイルバネや軟質樹脂等が使用され、弾性体の弾性力はトレイパネルがトレイの正面側へ寄せるように作用させる。以下、本発明に係る実施例を図面に基づいて詳細に説明する。
【００１５】
【実施例】
図１はテレビジョン受像機にディスク再生装置を組合わせたものであり、その外観図を表している。テレビ画面１の下側には開口２が設けられて、該開口２にはトレイ３が取付けられてスライド可能となっている。そして（ａ）に示すディスク再生装置付きテレビジョン受像機では、正面パネルの両側にスピーカ４，４を備え、（ｂ）に示すディスク再生装置付きテレビジョン受像機ではキャビネットの両側面にスピーカ４，４を備えている。
【００１６】
上記トレイ３は開口２から前進・突出したディスク着脱位置とディスク再生装置内との間をスライドすることが出来、本発明のトレイ構造はトレイが後退して収納された場合、外部からの衝撃の影響を受けないように、又上記スピーカ４，４から流れる音声振動の影響を受けないように、そして開口２との間に外観が損なわれるような隙間が生じないように、さらにディスクが高速回転する際に発生する風切り音などの騒音が開口から漏れないようにしている。
【００１７】
図２は本発明のトレイ構造を示している断面図であり、トレイ３の正面にはトレイパネル５が取付けられている。トレイパネル５の背面両側には２本の軸６，６を延ばし、該軸６はトレイ３の正面側に形成しているフロント部７の軸穴８に嵌っている。そして、軸６の先端には外径を大きくしたツバ９が設けられている為に、軸６が軸穴８から抜けることはない。又、ツバ９とフロント部７との間には弾性体１０が介在している。
【００１８】
ここで、軸６とツバ９が一体成形されたのではフロント部７の軸穴８に軸６を嵌めることが出来ない為に、ツバ９はトレイパネル５を取付けた後で取着する構造になっている。又は、フロント部７の軸穴８を割り型構造として、トレイパネル５を取付けた後で軸６が軸穴８から外れないように組合せる事も出来る。そして弾性体１０はコイルスプリングや軟質樹脂、ゴム等が使用され、トレイパネル５をトレイ３のフロント部７側ヘ引き寄せる弾性力を付勢することが出来る。
【００１９】
（ａ）はトレイ３がフロントパネル１１から正面に一部前進・突出した状態であり、（ｂ）はトレイ３が後退してディスク再生装置に収納されている場合である。フロントパネル１には開口２が設けられ、該開口２を通過してトレイ３はスライドし、前進・突出したディスク着脱位置と後退したディスク収納位置との間を移動することが出来る。
【００２０】
トレイ３が後退して（ｂ）に示すようにディスク再生装置に収納された場合、トレイパネル５はフロントパネル１１の開口２に収まる。開口２はその大きさが２段階に形成され、開口２ａの底は平坦面１２と成っている。そこで、開口２ａにはトレイパネル５が収まって平坦面１２に接し、トレイ正面のフロント部７は開口２ｂに収まることが出来る。
【００２１】
すなわち、トレイ３が後退する場合、フロント部７に取付けているトレイパネル５はフロントパネル１１の開口２ａには収納されるが、大きさが小さい開口２ｂを通過することが出来ず、平坦面１２に接して位置決め停止する。ここで、トレイパネル５に設けている軸６には弾性体１０が取付けられていて、（ｂ）に示しているように弾性体１０は圧縮され、トレイパネル５は開口２ａの底である平坦面１２に弾性力が付勢された状態で接している。
【００２２】
このように、弾性体１０の弾性力を付勢した状態でトレイパネル５が開口２ａの平坦面１２に接することで、外からの衝撃や振動がトレイパネル５に作用しても、トレイ３への影響を遮断出来る。そして、トレイパネル５の外周背面が平坦面１２に接することで隙間がなくなり、ディスクの高速回転に伴う風切り音などの騒音が外部へ漏れないようになる。
【００２３】
図３はトレイ３がフロントパネル１１の開口２から正面へ一部突出した状態の斜視図であるが、トレイ３のフロント部７に取付けられているトレイパネル５の背面両側には凹部１３，１３が形成されている。そして開口２ａの両側には凸部１４，１４が設けられていて、前記図２（ｂ）に示すようにトレイ３が収納された場合、凸部１４，１４に凹部１３，１３が係合する。従って、フロント部７に設けた軸穴８に軸６を嵌めて取付けられているトレイパネル５は正しく位置決めされて開口２ａに嵌ることが出来る。
【００２４】
図４はトレイ３が後退してディスク再生装置内に収納され、トレイパネル５に形成した凹部１３が凸部１４に係合した場合を示している。トレイパネル５は開口２ａに嵌る場合、正しく位置決めされることで、該開口２ａとの間に目立つ隙間を残すことなく嵌入することが出来る。すなわち、トレイパネル５と開口２ａとの間には全周にわたって均一で僅かな隙間が形成されるに過ぎない。そしてトレイパネル５の背面外周部は開口２ａの平坦面１２に接することが出来る。
【００２５】
図５はトレイ３が突出して、ディスクが着脱可能な位置にある場合であり、トレイパネル５の背面両側には凹部１３，１３が、そして開口２ａの両側には凸部１４，１４が形成されている。図６は開口２ａの両側に形成した凸部１４を示す色々な形態である。従ってこれら凸部１４，１４…に係合する凹部１３，１３…の形状は該凸部が嵌るように成っている。
【００２６】
以上述べたように、本発明のディスク再生装置のトレイ構造は、トレイの正面にトレイパネルを取付けると共に、トレイパネルがトレイ正面側に引き寄せられる弾性力が付勢される弾性体を取付け、そしてトレイパネルの背面両側と開口部両側には互いに係合する凹凸部を設けたものであり、次のような効果を得ることが出来る。
【００２７】
【発明の効果】
本発明のトレイ構造はトレイ正面にトレイパネルを取付けると共に弾性体を設けている為に、トレイパネルに衝撃又は振動が外部から作用しても、該弾性体によって吸収される為にトレイに伝わることはない。従って、ディスク記録再生メカニズムの動作に影響を及ぼすことはない。
【００２８】
そして、トレイパネルは開口の底に形成している平坦面に弾性力が付勢された状態で隙間なく接することが出来る為に、ディスク再生装置内の動作に基づく騒音、例えばディスクの高速回転に伴う風切り音などが外部に漏れないようになる。又トレイパネルはディスク再生装置が取付けられる各部品の寸法精度や取付け精度に影響されることなく、トレイが後退して収納状態にあるときには、開口に目立つ隙間を残すことなく嵌入することが出来るように、該トレイパネルの背面両側及び開口の両側には互いに係合する凹凸部を設けている。
【図面の簡単な説明】
【図１】ディスク再生装置付きテレビジョン受像機の外観図。
【図２】トレイパネルを正面に取り付けているトレイ断面。
【図３】開口から一部突出しているトレイ。
【図４】トレイパネルと開口に設けた凹部と凸部。
【図５】トレイが突出した平面図。
【図６】開口両側に設けられる凸部の形態。
【図７】ディスク再生装置をキャビネットから分離した場合。
【符号の説明】
１　テレビ画面
２　開口
３　トレイ
４　スピーカ
５　トレイパネル
６　軸
７　フロント部
８　軸穴
９　ツバ
１０　弾性体
１１　フロントパネル
１２　平坦面
１３　凹部
１４　凸部
【図１】
2004086939.tif 000003
【図２】
2004086939.tif 000004
【図３】
2004086939.tif 000005
【図４】
2004086939.tif 000006
【図５】
2004086939.tif 000007
【図６】
2004086939.tif 000008
【図７】
2004086939.tif 000009